(57)【要約】【構成】し尿をによってし尿固形分とし尿と水とに分離し、このし尿固形分を高温・高速発酵菌によって発酵させるし尿処理方法である。【効果】従来必要とした焼却設備が不用となる。高額な高温処理装置を新設しなくても従来の設備に発酵設備を追加するのみでダイオキシン問題に対応できるため、低コストでダイオキシン問題に対応できる。生成したし尿処理物は高温発酵によって雑菌が死滅し発酵菌のみが増殖される結果無毒である。このし尿処理物は堆肥として使用できるととにも堆肥熟成促進効果を奏することができ、また、飼料添加物や養鶏・養魚・養豚用飼料として使用することもできる。生成した分離水は、富栄養であるため、薬草等の水耕栽培等に使用した後河川に放流すれば、従来水耕栽培で使用している栄養材を低減化できるとともに河川における有機分による汚染を減少することができる。し尿処理の完全リサイクルエコシステムを構築することができる。【特許請求の範囲】
【請求項１】
し尿を尿固形分とし尿と水とに分離し、このし尿固形分を高温・高速発酵菌によって発酵・脱臭させることを特徴とするし尿処理方法。
【請求項２】
請求項１のし尿処理方法において、前記高温・高速発酵菌としてＳＹ菌を使用したことを特徴とするし尿処理方法。
【請求項３】
請求項２のし尿処理方法において、前記し尿固形分の含水率を略６５パーセントに調節したことを特徴とするし尿処理方法。
【請求項４】
請求項３のし尿処理方法において、前記し尿固形分の含水率を生ゴミの発酵物によって調節することを特徴とするし尿処理方法。
【発明の詳細な説明】
【０００１】
【産業上の利用分野】
本発明はし尿処理方法に関し、例えば、し尿処理物を使用した堆肥熟成促進添加物、飼料添加物，および養鶏，養魚，養豚用飼料を製造する際に使用されるものである。
【０００２】
【従来の技術】
従来におけるし尿の処理は、固液分離方法（凝集剤による）によって、含水率３０重量パーセント程度の固形分と水（以下「分離水」と記す）とに分離し、固形分はペレット状にして焼却炉において焼却し、分離水は河川に放流していた。
【０００３】
【発明が解決しようとする課題】
しかしながら、かかるし尿処理方法を実施するにあたって、従来の焼却炉では、ダイオキシンの発生を防止することができず、ダイオキシンの問題に対応するためには、ダイオキシンの発生しない高温処理装置を新設しなければならないという不都合を有した。
【０００４】
本発明の課題はかかる不都合を解消することである。
【０００５】
【課題を解決するための手段】
本発明に係るし尿処理方法においては、し尿をし尿固形分とし尿と水とに分離し、このし尿固形分を高温・高速発酵菌によって発酵及び脱臭させるものであるため、従来必要とした焼却設備が不用となる。
【０００６】
また、本発明に係るし尿処理方法によって生成したし尿処理物は高温発酵によって雑菌が死滅し発酵菌のみが増殖する結果無毒である。このし尿処理物は堆肥および堆肥熟成促進材として使用できる。また、飼料添加物や養鶏，窯業，養豚用飼料として使用することもできる。
【０００７】
さらに、本発明に係るし尿処理方法によって生成した分離水は、富栄養（有機物やチッ素，リン酸，カリ等）であるため、薬草等の水耕栽培等に使用し、植物によるフィルター処理を実施した後に河川に放流すれば、従来水耕栽培で使用している栄養材を低減化できるとともに河川における有機物やチッ素，リン酸，カリ等による汚染を減少することができる。又、飲料水への応用が可能となる。
【０００８】
このように、本願発明に係るし尿処理方法は、し尿処理の完全リサイクルシステムを構築することができるものである。
【０００９】
また、この発明のし尿処理方法において、前記高温・高速発酵菌としてＳＹ菌を使用すれば、し尿固形分を効率良く分解発酵することができる。
【００１０】
また、この場合、前記し尿固形分の含水率を略６５パーセントに調節すれば、ＳＹ菌の活動が一層活発化するため、し尿固形分の分解発酵は更に向上する。
【００１１】
また、この場合、し尿固形分の含水率を生ゴミの発酵物によって調節すれば、生ゴミの有効利用を図ることができるため、この面からもし尿処理の完全リサイクルシステムを達成することができる。
【００１２】
【発明の実施の形態】
し尿を固液分離方法（凝集剤による）によって処理することにより得られる、含水率約３０パーセント程度のし尿固形分を含水率約６５パーセント程度に調節する。水分調節材としては米，ぬか，おが屑等の廃棄物を利用する。この水分調節されたし尿固形分を発酵機に入れ、高温・高速発酵菌とともに７０〜８５°Ｃで約１０〜２０時間攪拌処理しながら高温で高速発酵させ、その後、８０°〜８５°Ｃで約２時間乾燥する。なお、ここに用いる高温・高速発酵菌とはＳＹ菌であり、このＳＹ菌とは土壌中より分離された枯草菌等を主体とする菌群の名称である。
【００１３】
このようにして得られた一次発酵物（この発明の「し尿処理物」に相当する）従来の堆肥場に添加することにより、略６ケ月間必要とされていた熟成（堆肥化）期間が約２分の１に短縮され、更には、ＪＡＳ認定のとれる堆肥となり、高付加価値を低コストで生むことができる。
【００１４】
この一次発酵物は肥料、飼料添加物，養鶏・養魚・養豚用飼料の主成分として使用することもできる。
【００１５】
また、前記水分調節材として、市内から出る食品廃棄物を使用すれば、この食品廃棄物を堆肥化でき、リサイクルがし尿のみでなく一般廃棄物も含めた効率的なものとなる。
【００１６】
また、固液分離方法（凝集剤による）によって分離されたし尿分離水は、富栄養（有機物やチッ素，リン酸，カリ等）であるため、薬草等の水耕栽培等に使用することことにより、植物フィルター処理が行われる。そして、使用後に河川に放流すれば河川における有機物やチッ素，リン酸，カリ等による汚染を減少することができる。また、将来世界的な水資源の枯渇に対応すべく飲料水への応用も可能となる。
【００１７】
【実施例】
（１）．ペレット状のし尿固形分を、し尿を従来の固液分離方法（凝集剤による）によって処理することにより得た。このし尿固形分は含水率略３０パーセント程度である。このし尿固形分に米ヌカを添加することによってその含水率を略６５パーセント程度に調節した。ＳＹ菌を０．１パーセント程度添加して、ＳＹ菌専用高温高速処理機（高温８５°Ｃ，高速で約１２時間）に投入し、約１０時間，約６０°Ｃで攪拌しながら発酵させた。その後、約８５°Ｃで約２時間乾燥処理し、一次発酵物を得た。この一次発酵物を飼料，飼料添加材，土壌改良材，堆肥熟成促進材として使用した。
【００１８】
（２）．ペレット状のし尿固形分を、し尿を従来の固液分離方法（凝集剤による）によって処理することにより得た。このし尿固形分は含水率略３０パーセント程度である。一方、水分調節材として、生ゴミをＳＹ菌で一次発酵させたもの（生ゴミ発酵物）を用意した。前記し尿固形分にこの生ゴミ発酵物を重量比１：１の割合で添加し、このし尿固形分の含水率を略６５パーセント程度に調節した。その後、ＳＹ菌を約０．１パーセント程度添加して、ＳＹ菌専用高温高速処理機（高温８５°Ｃ，高速１２時間）に投入し、約１０時間，約６０°Ｃで攪拌しながら発酵させた。その後、約８５°Ｃで約２時間乾燥処理し、一次発酵物を得た。この一次発酵物を飼料，飼料添加材，土壌改良材，堆肥熟成促進材として使用した。
【００１９】
【実施例】
ラットに醗酵物を２ｇ／ｋｇ経口投与して２週間後にコントロールと比較した（急性毒性）、また、ラットに醗酵物を１ｇ／ｋｇ２８日間毎日経口投与し、コントロールと比較した（慢性毒性）、いずれもコントロールと比較して変異はなく無毒を証明した。
【００２０】
【発明の効果】
本発明に係るし尿処理方法は、し尿をし尿固形分とし尿と水とに分離し、このし尿固形分を高温・高速発酵菌によって発酵及び脱臭させるものであるため、従来必要とした焼却設備が不用となる。
【００２１】
よって、このし尿処理方法を使用すれば、高額な高温処理装置を新設しなくても従来の設備に発酵設備を追加するのみでダイオキシン問題に対応できるため、低コストでダイオキシン問題に対応できるものである。
【００２２】
また、本発明に係るし尿処理方法によって生成したし尿処理物は高温発酵によって雑菌が死滅し発酵菌のみが増殖される結果無毒である。このし尿処理物は堆肥として使用できるととにも堆肥熟成促進効果を奏することができ、また、飼料添加物や養鶏・養魚・養豚用飼料として使用することもできる。
【００２３】
さらに、本発明に係るし尿処理方法によって生成した分離水は、富栄養（有機物やチッ素，リン酸，カリ等）であるため、薬草等の水耕栽培等に使用し、植物によるフィルター処理を実施した後に河川に放流すれば、従来水耕栽培で使用している栄養材を低減化できるとともに河川における有機物やチッ素，リン酸，カリ等による汚染を減少することができる。又、飲料水への応用が可能となる。
【００２４】
このように、本願発明に係るし尿処理方法は、し尿処理の完全リサイクルシステムを構築することができるものである。
【００２５】
また、この発明のし尿処理方法において、前記高温・高速発酵菌としてＳＹ菌を使用すれば、し尿固形分を効率良く分解発酵することができる。
【００２６】
また、この場合、前記し尿固形分の含水率を略６５パーセントに調節すれば、ＳＹ菌の活動が一層活発化するため、し尿固形分の分解発酵は更に向上する。
【００２７】
また、この場合、し尿固形分の含水率を生ゴミの発酵物によって調節すれば、生ゴミの有効利用を図ることができるため、この面からもし尿処理の完全リサイクルエコシステムを達成することができる。